(57)【要約】【課題】携帯端末を充電台において特定のネットワーク接続した場合のみサーバアプリケーションを起動することができる。【解決手段】本発明の携帯電話１は、充電台２による充電開始後に、ＤＨＣＰサーバ６の識別子を有する家庭内のＬＡＮ４への接続が確認できた場合にＤＬＮＡサーバアプリケーションを起動する。そして、家庭内のＬＡＮ４を介して接続される大型テレビ受像機（ＴＶ）５に送信するデータの処理をＤＬＮＡサーバアプリケーションにより実行する。さらに、充電台２による充電動作がなくなった場合にＤＬＮＡサーバアプリケーションを停止する。【選択図】図１
2009258916.tif 000002
【特許請求の範囲】
【請求項１】
ネットワークに接続されるクライアントとデータ通信を行う通信部と、
各部に電源電圧を供給するバッテリを充電する充電部と、
前記クライアントが接続される前記ネットワークの識別情報及びサーバ機能を有効にするためのサーバアプリケーションを格納する記憶部と、
前記充電部による充電開始後に、前記識別情報を有するネットワークへの接続が確認できた場合に前記サーバアプリケーションを起動し、前記充電部による充電動作がなくなった場合に前記サーバアプリケーションを停止する制御部と、
前記サーバアプリケーションの起動動作の設定指示を行う操作部と、
を有する携帯端末装置。
【請求項２】
前記操作部により、前記サーバアプリケーションの起動動作の設定指示が行われると、前記ネットワークの識別情報を取得し、前記記憶部に格納する請求項１に記載の携帯端末装置。
【請求項３】
前記ネットワークの識別情報は、前記ネットワーク内の特定の機器のホスト名、ＩＰアドレス又はＭＡＣアドレスである請求項１又は２に記載の携帯端末装置。
【請求項４】
前記通信部は、無線ＬＡＮ通信部である請求項１〜３のいずれかに記載の携帯端末装置。
【請求項５】
前記充電部による充電動作がなくなった後に、一定時間経過後に前記サーバアプリケーションを停止する請求項１〜４のいずれかに記載の携帯端末装置。
【請求項６】
ネットワークに接続されるクライアントとなる機器と、
前記クライアントとデータ通信を行う通信部と、各部に電源電圧を供給するバッテリを充電する充電部と、前記クライアントが接続される前記ネットワークの識別情報及びサーバ機能を有効にするためのサーバアプリケーションを格納する記憶部と、前記充電部による充電開始後に、前記識別情報を有するネットワークへの接続が確認できた場合に前記サーバアプリケーションを起動し、前記充電部による充電動作がなくなった場合に前記サーバアプリケーションを停止する制御部と、前記サーバアプリケーションの起動動作の設定指示を行う操作部と、から構成される携帯端末装置と、
前記ネットワークに接続され、前記携帯端末装置に前記ネットワークの識別情報を送信する特定の機器と、
を備えた通信システム。
【請求項７】
ネットワークに接続される携帯端末装置の各部に電源電圧を供給するバッテリを充電するステップと、
サーバ機能を有効化するサーバアプリケーションの起動動作の設定指示が行われるステップと、
前記ネットワークに接続される特定の機器とデータ通信を行うステップと、
前記特定の機器から前記ネットワークの識別情報を取得して記憶するステップと、
各部に電源電圧を供給するバッテリへの充電開始後に、前記識別情報を有するネットワークへの接続が確認できた場合に、前記サーバアプリケーションを起動するステップと、
前記ネットワークを介して接続されるクライアントに送信するデータの処理をサーバアプリケーションにより実行するステップと、
充電動作がなくなった場合に前記サーバアプリケーションを停止するステップと、
を含む、携帯端末装置とクライアントとの通信方法。
【請求項８】
携帯端末装置に載置されたコンピュータ上に、
ネットワークに接続される携帯端末装置の各部に電源電圧を供給するバッテリを充電する機能と、
サーバ機能を有効化するサーバアプリケーションの起動動作の設定指示を行う機能と、
前記ネットワークに接続される特定の機器とデータ通信を行う機能と、
前記特定の機器から前記ネットワークの識別情報を取得して記憶する機能と、
前記携帯端末装置の各部に電源電圧を供給するバッテリへの充電開始後に、前記識別情報を有するネットワークへの接続が確認できた場合に、前記サーバアプリケーションを起動する機能と、
前記ネットワークを介して接続されるクライアントに送信するデータの処理をサーバアプリケーションにより実行する機能と、
前記充電動作がなくなった場合に、前記サーバアプリケーションを停止する機能と、
を実現する通信プログラム。
【発明の詳細な説明】
【技術分野】
【０００１】
本発明は、ネットワークに接続されデータを送信する携帯端末装置、通信システム、通信方法及び通信プログラムに関するものである。
【背景技術】
【０００２】
例えば、アドホックネットワークにおいて、各携帯端末が能動的に送信端末（サーバ）に対してＡＶコンテンツのデータ送信要求を行い、個別にＡＶコンテンツを取得するダウンロード方式によりストリーミング再生が行われる場合がある（特許文献１、図１４参照）。
【０００３】
この場合には、ＤＬＮＡ  ＨＮ（Digital Living Network Alliance、Home networked Device）のバージョン１で用いられているＨＴＴＰ（Hypertext Transfer Protocol、ＲＦＣ２６１６）等が用いられる。例えば受信側の携帯端末となるＨＴＴＰクライアントから、送信端末となるＨＴＴＰサーバに対して、データ送信要求としてＨＴＴＰ  ＧＥＴリクエストを送信し、この結果、送信端末からＡＶコンテンツが送信される。
【０００４】
また、ＤＬＮＡサーバ機能を有する携帯端末において、ＤＬＮＡサーバ機能を有効にするためにはＤＬＮＡサーバアプリケーションを起動する必要がある。また、携帯端末に外部からの電源供給があった場合に無線ＬＡＮ通信部を自動的にＯＮにする技術が提案されている（特許文献２参照）。
【特許文献１】特開２００７−１３７０５号公報
【特許文献２】特開２００６−４９９４２号公報
【発明の開示】
【発明が解決しようとする課題】
【０００５】
上述したＤＬＮＡサーバ機能を有する携帯端末では、ユーザがその都度、ＤＬＮＡサーバアプリケーションを起動及び停止する必要があるため、利便性が悪かった。
また、特許文献２に記載の技術のように、単純に外部からの電源供給を検出し、無線ＬＡＮ通信部をＯＮにして同時にＤＬＮＡサーバアプリケーションを起動しただけでは、接続すべきＬＡＮを特定することができない。
【０００６】
例えば、ユーザは自宅で携帯端末を充電台においた場合のみＤＬＮＡサーバアプリケーションを起動したいのに、自宅以外の場所で充電したときにユーザの意図に反してＤＬＮＡサーバアプリケーションが起動してしまうという問題があった。
さらに、ユーザが意図しないのにＤＬＮＡサーバアプリケーションが起動してしまうと端末内のデータに不正にアクセスされてしまう危険性が高まり、セキュリティー面において問題があった。
【０００７】
そこで、本発明は、携帯端末を充電台において特定のネットワーク接続した場合のみサーバアプリケーションを起動することができる携帯端末装置、通信システム、通信方法及び通信プログラムを提供することを目的とするものである。
【課題を解決するための手段】
【０００８】
上記目的を達成するために、本発明の携帯端末装置では、制御部は充電部による充電開始後に、識別情報を有するネットワークへの接続が確認できた場合にサーバアプリケーションを起動する。そして、ネットワークを介して接続されるクライアントに送信するデータの処理をサーバアプリケーションにより実行する。さらに、充電部による充電動作がなくなった場合にサーバアプリケーションを停止する。
【０００９】
また、本発明の携帯端末装置は、ネットワークに接続されるクライアントとデータ通信を行う通信部と、各部に電源電圧を供給するバッテリを充電する充電部とを有する。また、クライアントが接続されるネットワークの識別情報及びサーバ機能を有効にするためのサーバアプリケーションを格納する記憶部と、サーバアプリケーションの起動動作の設定指示が行われる操作部とを有する。
【００１０】
また、本発明の通信システムは、サーバとなる携帯端末装置を備えている。この携帯端末装置は、ネットワークを介したデータ通信により、クライアントに送信するデータの処理をサーバアプリケーションにより実行する。ここで、各部に電源電圧を供給するバッテリへの充電開始後に、特定の識別情報を有するネットワークへの接続が確認できた場合にサーバアプリケーションを起動し、充電動作がなくなった場合にサーバアプリケーションを停止する。
【００１１】
また、本発明の通信システムは、ネットワークに接続されるクライアントとなる機器と、ネットワークに接続され、携帯端末装置に特定のネットワークの識別情報を送信する特定の機器とを備える。
【００１２】
また、本発明の通信方法は、ネットワークに接続される携帯端末装置の各部に電源電圧を供給するバッテリを充電するステップと、サーバ機能を有効化するサーバアプリケーションの起動動作の設定指示が行われるステップを含んでいる。ここで、ネットワークに接続される特定の機器とデータ通信を行うステップと、特定の機器からネットワークの識別情報を取得して記憶するステップを含む。また、各部に電源電圧を供給するバッテリへの充電開始後に、識別情報を有するネットワークへの接続が確認できた場合にサーバアプリケーションを起動するステップを含む。
【００１３】
また、本発明の通信方法は、ネットワークを介して接続されるクライアントに送信するデータの処理をサーバアプリケーションにより実行するステップと、充電動作がなくなった場合にサーバアプリケーションを停止するステップを含む。
【００１４】
また、本発明の通信プログラムは、ネットワークに接続される携帯端末装置の各部に電源電圧を供給するバッテリを充電する機能と、サーバ機能を有効化するサーバアプリケーションの起動動作の設定指示が行われるとネットワークに接続される特定の機器とデータ通信を行う機能とを携帯端末装置のコンピュータ上に実現させる。ここで、特定の機器からネットワークの識別情報を取得して記憶する機能と、充電開始後に、識別情報を有するネットワークへの接続が確認できた場合にサーバアプリケーションを起動する機能とを携帯端末装置のコンピュータに実行させる。
【００１５】
また、本発明の通信プログラムは、ネットワークを介して接続されるクライアントに送信するデータの処理をサーバアプリケーションにより実行し、充電動作がなくなった場合にサーバアプリケーションを停止する機能を携帯端末装置のコンピュータ上に実現させる。
【００１６】
本発明によれば、特定の機器（例えば、ＤＨＣＰサーバ）のネットワークの識別情報をユーザが登録する。これにより、外部からの電源供給を検出し、登録された識別情報を有する特定の機器への接続が確認できた場合にサーバアプリケーション（例えば、ＤＬＮＡサーバアプリケーション）を起動する。
【００１７】
また、外部からの電源供給がなくなった場合にサーバアプリケーションを停止する。これにより、携帯端末において、サーバアプリケーションを自動的に起動及び停止することができる。
【発明の効果】
【００１８】
本発明によれば、接続すべきＬＡＮを特定することができるので、ユーザは携帯端末を自宅の充電台においたときに自動的に（例えば、ＤＬＮＡ）アプリケーションを起動することができる。このため、ユーザはアプリケーションを手動で起動停止する必要がなくなるため、利便性を向上させることができるという効果を奏する。
【００１９】
また、予め登録されたネットワーク以外のネットワークに接続するときはアプリケーションが起動しない。このため、意図しないときにアプリケーションが起動しないので、セキュリティー品質を向上させることができるという効果を奏する。
【発明を実施するための最良の形態】
【００２０】
以下、本発明の一実施の形態を、図１〜５を参照して説明する。
図１は、本実施の形態のシステム構成例を示している。
【００２１】
デジタルコンテンツ再生機器の普及にともない、ホームＩＰ（Internet Protocol）ネットワークを介してそれら機器を相互接続し、オーディオなどのデジタルコンテンツを共有して視聴することが現実のものとなってきている。
【００２２】
例えば、ＤＬＮＡ（Digital Living Network Alliance）ではそれらデジタル機器がデジタルコンテンツの共有を行う上での必要な技術仕様、実装ガイドラインを定めている。これにより、異なるベンダーの機器同士でも相互に接続することができ、ホームＩＰネットワークの業界標準となっている。
【００２３】
図１にＤＬＮＡを用いたコンテンツ再生システムの構成例を示す。ＤＬＮＡではコンテンツ供給部としての機器であるデジタルメディアサーバ（ＤＭＳ：Digital Media Server）と呼ばれる機器がある。ＤＭＳは、オーディオコンテンツ又はビデオコンテンツを蓄積していて、ホームネットワーク内の機器に対してオーディオ又はビデオコンテンツの提供を行なう。図１では、ホームサーバ７、携帯電話１がＤＭＳに相当するものである。
【００２４】
また、ＤＬＮＡでは表示再生部となるデジタルメディアプレーヤ（ＤＭＰ：Digital Media Player）と呼ばれる機器がある。ＤＭＳは、例えばメモリに記録されたオーディオ又はビデオコンテンツを、ホームＩＰネットワーク１１を介して接続されたＤＭＰにストリーミング伝送することができる。デジタルメディアプレーヤ（ＤＭＰ）は、ＤＭＳからコンテンツを受領して再生する機器である。図１では、大型テレビ受像機（ＴＶ）５がＤＭＰに相当するものである。
【００２５】
図１の例では、大型テレビ受像機（ＴＶ）５にＤＭＰが実装されており、ユーザは、例えば操作制御部の赤外線リモコンの赤外線又は無線ＬＡＮブリッジ３などを利用して、操作制御部を操作する。これにより離れた部屋に置かれた携帯電話１に蓄積されたオーディオ又はビデオコンテンツを大型テレビ受像機（ＴＶ）５で再生可能となる。
【００２６】
なお、ルーター８は家庭内の機器がインターネット９としてのＩＰブロードバンドネットワークに接続する場合のネットワーク接続機器として利用される。ここで、ルーター８はＤＬＮＡの利用例では家庭内の機器が家庭内のＬＡＮ４を介してＩＰ接続するためのブリッジとして利用されている。ＤＨＣＰサーバ６は、家庭内のＬＡＮ４内のＩＰアドレスを管理する。ＤＨＣＰサーバ６と同様の機能は、ルーター８やホームサーバ７又は特定のＤＨＣＰクライアントである大型テレビ受像機（ＴＶ）５でも実現することができる。
【００２７】
ここで、この再生システムにおいて、家庭内のＬＡＮ４、携帯電話１及び大型テレビ受像機（ＴＶ）５はそれぞれＩＥＥＥ（Institute of Electrical and Electronics Engineers）８０２．１１ｂ規格の無線ＬＡＮ３ブリッジやブルートゥース（登録商標）等の無線通信機能を有しており、当該無線通信機能を介して相互に接続することによりアドホックネットワークを構築している。
【００２８】
ここでアドホックネットワークでは、携帯電話１がオーディオ又はビデオコンテンツをコンテンツデータとして個別に所有しており、当該アドホックネットワークを構築しているグループ内でこれらのオーディオ又はビデオコンテンツを大型テレビ受像機（ＴＶ）５に供給する。
【００２９】
次に、上述した無線ＬＡＮとＤＬＮＡサーバ機能を有する携帯電話１の使用例を、以下に説明する。
ＤＬＮＡサーバ機能を有する携帯電話１では、コンテンツ（例えば、音楽データ、写真データ、動画データ、テキストデータなど）が保存されている。このコンテンツはユーザが外出先で携帯電話１によりダウンロード、撮像、入力して保存したデータである。
【００３０】
そして、ＤＬＮＡクライアントとなる大型テレビ受像機（ＴＶ）５から家庭内のＬＡＮ４経由で携帯電話１にアクセスし、携帯電話１から供給されるコンテンツを再生することができる。
【００３１】
また、ＤＬＮＡサーバ機能を有する携帯電話１は、無線ＬＡＮブリッジ３による通信手段を備えており、無線ＬＡＮ３により家庭内のＬＡＮ４にアクセスすることができるため、通信ケーブルを接続する必要がない。
【００３２】
一使用例を挙げると、ユーザが外出して携帯電話１に備え付けられたカメラで撮影した画像を、自宅に帰ってきてから通信ケーブル等を接続することなく、家庭内のＬＡＮ４に接続された大型テレビ受像機（ＴＶ）５で鑑賞することができる。このとき、携帯電話１はＤＬＮＡサーバであり、大型テレビ受像機（ＴＶ）５はＤＬＮＡクライアントである。
【００３３】
本実施の形態による動作の概略は、以下のようになる。例えば、予めユーザにより携帯電話１のＤＬＮＡサーバアプリケーションの自動起動がＯＮに設定されている場合に、携帯電話１が充電台２に置かれると、携帯電話１は、充電台２を介して外部からの電源供給を検出する。
このとき、携帯電話１は、自動的に後述する無線ＬＡＮ通信回路２６をＯＮにし、無線ＬＡＮ基地局経由で家庭内のＬＡＮ４に接続し、ＤＨＣＰサーバ６からＩＰアドレスを取得する。
【００３４】
ここで、携帯電話１は、取得したＩＰアドレスに含まれているＤＨＣＰサーバ６の識別子が、予め登録されている識別子と一致した場合のみ、ＤＬＮＡサーバアプリケーションを起動にするように制御する。これにより、携帯電話１が予め登録されたネットワーク（家庭内のＬＡＮ４）に接続しているときにのみＤＬＮＡアプリケーションを起動することができる。
【００３５】
また、充電台２を介して電源供給が絶たれた場合には、携帯電話１は、ＤＬＮＡサーバアプリケーションを停止し、無線ＬＡＮ通信回路２６をＯＦＦにするように制御する。このとき、無線ＬＡＮ通信回路２６が自動的にＯＦＦになるため、外部からの電源供給がない場合の消費電流を抑えることができ、バッテリの無駄な放電を削減することができる。
【００３６】
なお、電源供給がなくなっときとは、ユーザが携帯電話１を充電台２から外し、自宅から外出するときと考えられるので、自動的に無線ＬＡＮ通信回路２６がＯＦＦになっても問題はない。
【００３７】
次に、本実施の形態の携帯電話１の構成及び動作の詳細について説明する。
図２は、携帯電話の構成を示すブロック図である。図２において、携帯電話１は、基地局に対して送受信を行うアンテナ１１及び通信回路１２と、送話音声等を集音するマイク１３と、受話音声、動画ファイルの音声、音楽データの音声を出力するスピーカ部１４とを備えている。
【００３８】
また、携帯電話１は、通信プログラムやＤＬＮＡサーバアプリケーションプログラムと、電話帳やスケジュール帳のデータ、動画像などが保存されるメモリ部１５を有している。また、携帯電話１は、複数のキーを含む操作部１６と、表示部１７と、制御ライン１８及びデータライン１９を介して各部と相互に接続された制御部２０を有している。
【００３９】
また、携帯電話１は、画像を撮影するためのカメラ２１と、撮像画像の制御をする撮像制御部２２を有している。また、携帯電話１は、図１に示した家庭内のＬＡＮ４の無線ＬＡＮ３と通信可能な無線ＬＡＮ通信回路２６を有している。また携帯電話１は、図１に示した充電台２を介して、バッテリ２５に充電するための充電端子２３と、充電を制御する充電制御部２４を備えている。
【００４０】
次に、携帯電話１の動作について説明する。
まず、図３を用いてＤＬＮＡサーバアプリケーション自動起動の設定について説明する。
初期状態では、携帯電話１のＤＬＮＡサーバアプリケーション自動起動の設定は、ＯＦＦになっているとする。
【００４１】
ここで、ユーザは図２に示した操作部１６のキー３２、３３に対する操作により、ＤＬＮＡサーバアプリケーションを表示部１７に表示されるメニュー画面３１から起動することができる。ＤＬＮＡサーバアプリケーションを起動すると、図２に示した無線ＬＡＮ通信回路２６が自動的にＯＮになり、無線ＬＡＮ基地局と接続する。この後、携帯電話１は、無線ＬＡＮ基地局経由で図１に示したＤＨＣＰサーバ６と接続し、携帯電話１のＩＰアドレスを取得する。
【００４２】
このとき、携帯電話１は、表示部１７にメニュー画面から図３に示すような起動画面３１を表示させ、ユーザにＤＬＮＡサーバアプリケーション自動起動をＯＮにするかどうか確認を求める。ユーザが操作部１６のキー３２、３３からの操作よりＯＮを選択した場合には、携帯電話１は、ＤＬＮＡサーバアプリケーション自動起動の設定をＯＮにする。
【００４３】
そして、携帯電話１は、取得したＩＰアドレスに含まれているＤＨＣＰサーバ６の識別子をメモリ１５に保存する。ここで、ＤＨＣＰサーバ６の識別子とは、ＤＨＣＰサーバ６のホスト名又はＩＰアドレス又はＭＡＣアドレスなどである。
【００４４】
上記ＤＬＮＡサーバアプリケーション自動起動の設定例では、ＤＬＮＡアプリケーション内部から自動起動の設定を行う例を示したが、これに限られない。すなわち、別途設定画面において自動起動設定のＯＮ又はＯＦＦ及びＤＨＣＰサーバ６の識別子を操作部１６から手動で入力するようにしてもよい。
【００４５】
次に、充電台２を介して携帯電話１に外部電源が接続され、携帯電話１が充電状態になったときの処理について図４のフローチャートを使って説明する。図４のフローチャートは、携帯電話１の制御部２０に通信プログラムを実行させることにより、実現される処理を示している。
【００４６】
携帯電話１に外部電源が接続され充電開始状態になると、携帯電話１の制御部２０は、ＤＬＮＡサーバアプリケーションがすでに起動しているか否かを判断する（ステップＳ１）。
【００４７】
判断ステップＳ１で、ＤＬＮＡサーバアプリケーションがすでに起動している場合はそのまま処理を終了する。逆に、ＤＬＮＡサーバアプリケーションがすでに起動していない場合は、携帯電話１の制御部２０は、ＤＬＮＡサーバアプリケーション自動起動の設定がＯＮであるか否かを判断する（ステップＳ２）。
【００４８】
判断ステップＳ２で、ＤＬＮＡサーバアプリケーション自動起動の設定がＯＮでなければ、処理を終了する。逆に、ＤＬＮＡサーバアプリケーション自動起動の設定がＯＮであれば、制御部２０は、無線ＬＡＮ通信回路２６をＯＮにする（ステップＳ３）。そして、制御部２０は、無線ＬＡＮ通信回路２６を介して無線ＬＡＮ基地局との接続を試みる（ステップＳ４）。
【００４９】
次に、制御部２０は、無線ＬＡＮ基地局との接続が成功したか否かを判断する（ステップＳ５）。判断ステップＳ５で、無線ＬＡＮ基地局の接続が成功しなかった場合は、制御部２０は、無線ＬＡＮ通信回路２６をＯＦＦにして（ステップＳ１１）、処理を終了する。逆に、無線ＬＡＮ基地局との接続に成功した場合は、制御部２０は、ＤＨＣＰサーバ６からのＩＰアドレス取得を試みる（ステップＳ６）。そして、ＩＰアドレス取得が成功したか否かを判断する（ステップＳ７）。
【００５０】
判断ステップＳ７で、ＩＰアドレスの取得に成功しなかった場合は、制御部２０は、無線ＬＡＮ通信回路２６をＯＦＦにして（ステップＳ１１）、処理を終了する。逆に、ＩＰアドレスの取得に成功した場合は、制御部２０は、ＤＨＣＰサーバ６の識別子が、図３の設定動作において登録されているＤＨＣＰサーバ６のＩＰアドレスに含まれる識別子と一致するかどうかを確認する（ステップＳ８）。
【００５１】
続いてＤＨＣＰサーバ６の識別子が、登録されているＤＨＣＰサーバ６の識別子と一致するか否かが判断される（ステップＳ９）。判断ステップＳ９で、両ＤＨＣＰサーバ６の識別子が一致しなかった場合は、制御部２０は、無線ＬＡＮ通信回路２６をＯＦＦにして（ステップＳ１１）、処理を終了する。逆に、判断ステップＳ９で、両ＤＨＣＰサーバ６の識別子が一致した場合は、制御部２０は、ＤＬＮＡサーバアプリケーションを起動して（ステップＳ１０）、処理を終了する。
【００５２】
次に、携帯電話１が充電台２から外されて、外部からの電源供給が停止したときの処理について、図５のフローチャートを使って説明する。図５は、携帯電話１の制御部２０に通信プログラムを実行させることにより、実現される処理を示している。
【００５３】
まず、携帯電話１への外部からの電源供給が停止したら、制御部２０は、タイマーをセットする（ステップＳ２１）。そして、外部からの電源供給を検出したか否かを判断する（ステップＳ２２）。判断ステップＳ２２で、外部からの電源供給を検出した場合はそのまま処理を終了する。
【００５４】
すなわち、一定時間が経過しタイマーが満了する前に、再度外部電源からの供給が開始された場合は、そのまま処理を終了する。逆に、外部からの電源供給を検出しないときは、制御部２０は、タイマーが満了したか否かを判断する（ステップＳ２３）。
【００５５】
判断ステップＳ２３で、タイマーが満了した場合は、制御部２０は、ＤＮＬＡアプリケーション自動起動の設定がＯＮか否かを判断する（ステップＳ２４）。判断ステップＳ２４で、ＤＮＬＡアプリケーション自動起動の設定がＯＮであれば、制御部２０は、無線ＬＡＮ通信回路２６をＯＦＦにして（ステップＳ２５）、処理を終了する。逆に、ＤＮＬＡアプリケーション自動起動の設定がＯＮでなければ、そのまま、処理を終了する。
【００５６】
ここで、ステップＳ２３でタイマーが満了するまで、無線ＬＡＮ通信回路２６をＯＦＦにしないようにするのは、充電中にユーザが携帯電話１を一時的に充電台２から外した場合、その都度、ＤＬＮＡアプリケーションを終了しないようにするためである。
【００５７】
なお、上述した本実施の形態例に限らず、特許請求の範囲に記載された本発明の要旨を逸脱しない限り、適宜変更しうることは言うまでもない。
【図面の簡単な説明】
【００５８】
【図１】本発明の一実施の形態によるシステム構成例を示す図である。
【図２】携帯電話１の構成を示すブロック図である。
【図３】ＤＬＮＡサーバアプリケーション自動起動の設定を示す図である。
【図４】充電状態になったときの携帯電話１の動作を示すフローチャートである。
【図５】充電台２から外されたときの携帯電話１の動作を示すフローチャートである。
【符号の説明】
【００５９】
１…携帯電話、２…充電台、３…無線ＬＡＮブリッジ、４…家庭内のＬＡＮ、５…大型テレビ受像機（ＴＶ）、６…ＤＨＣＰサーバ、７…ホームサーバ、８…ルーター、９…インターネット、１１…アンテナ、１２…通信回路、１３…マイク、１４…スピーカ、１５…メモリ、１６…操作部、１７…表示部、１８…制御ライン、１９…データライン、２０…制御部、２１…カメラ、２２…撮像制御部、２３…充電端子、２４…充電制御部、２５…バッテリ、２６…無線ＬＡＮ通信回路、３１…メニュー画面、３２、３３…キー
【図１】
2009258916.tif 000003
【図２】
2009258916.tif 000004
【図３】
2009258916.tif 000005
【図４】
2009258916.tif 000006
【図５】
2009258916.tif 000007